【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
画像形成装置に接続可能な後処理装置であって、
前記画像形成装置から出力される第一起動信号が入力される入力手段と、
ユーザーにより操作されるスイッチ手段と、
前記後処理装置の内部に設けられ、前記スイッチ手段がオンされることで前記第一起動信号に対応する第二起動信号を生成する生成手段と、
前記入力手段に入力された前記第一起動信号または前記生成手段により生成された前記第二起動信号に応答して起動する電源手段と、
前記電源手段から供給される電力を用いてシートに後処理を実行する後処理手段と、
を有し、前記電源手段は、前記画像形成装置が前記第一起動信号を出力できない状態にあるとき、前記生成手段により生成された前記第二起動信号に応答して起動することを特徴とする後処理装置。
【請求項２】
前記後処理装置は、
前記画像形成装置が前記第一起動信号を出力できる状態にあるときに、当該第一起動信号にしたがって前記電源手段が起動し、前記画像形成装置と協働して前記後処理装置が動作する第一動作モードと、
前記画像形成装置が前記第一起動信号を出力できない状態にあるときに、前記第二起動信号にしたがって前記電源手段が起動し、前記画像形成装置と協働せずに前記後処理装置が動作する第二動作モードと、
を有することを特徴とする請求項１に記載の後処理装置。
【請求項３】
交流入力部と、
前記交流入力部に入力された交流を直流に変換する、前記電源手段に設けられた変換手段と、
前記第一起動信号および前記第二起動信号にしたがって前記交流入力部と前記変換手段とを接続する接続状態と、前記交流入力部と前記変換手段とを接続しない非接続状態とを切り替える第一スイッチと、をさらに有し、
前記第一スイッチは、前記第一起動信号および前記第二起動信号がともに入力されていなければ、前記交流入力部と前記変換手段とを接続せず、前記第一起動信号または前記第二起動信号が入力されていれば、前記交流入力部と前記変換手段とを接続するように構成されていることを特徴とする請求項１または２に記載の後処理装置。
【請求項４】
前記交流入力部と前記生成手段とを接続する接続状態と、前記交流入力部と前記生成手段とを接続しない非接続状態とを切り替える第二スイッチをさらに有し、
前記生成手段は、
前記第二スイッチを介して前記交流入力部と前記生成手段とが接続されると、前記交流入力部から供給された交流を使用して前記第二起動信号を生成して前記第一スイッチに供給し、
前記第二スイッチを介して前記交流入力部と前記生成手段とが接続されていなければ、前記第二起動信号を生成しない
ように構成されていることを特徴とする請求項３に記載の後処理装置。
【請求項５】
前記生成手段は、前記交流入力部に入力された交流を直流に変換するＡＣ／ＤＣ変換回路であることを特徴とする請求項４に記載の後処理装置。
【請求項６】
前記後処理装置に接続された他の後処理装置に前記第一起動信号を出力する出力手段と、
前記入力手段から入力された前記第一起動信号を前記出力手段に出力し、前記他の後処理装置から前記出力手段に印加された前記第一起動信号を前記入力手段に出力しない第一整流手段と
をさらに有することを特徴とする請求項１に記載の後処理装置。
【請求項７】
前記出力手段は、前記後処理装置に接続された前記他の後処理装置に前記第二起動信号を出力するように構成されており、
前記第一整流手段は、前記第二起動信号を前記出力手段に出力するように構成されていることを特徴とする請求項６に記載の後処理装置。
【請求項８】
前記生成手段と前記電源手段との間に設けられ、前記生成手段により生成された前記第二起動信号を前記電源手段に印加する第二整流手段をさらに有し、
前記第二整流手段は、前記入力手段から入力された前記第一起動信号を前記生成手段に印加しないように前記生成手段と前記入力手段との間に設けられていることを特徴とする請求項６に記載の後処理装置。
【請求項９】
前記第二整流手段のアノードは前記生成手段に接続されており、前記第二整流手段のカソードは前記第一整流手段のアノードに接続されており、前記第一整流手段のカソードは前記出力手段に接続されており、
前記生成手段は、前記第二整流手段および前記第一整流手段を介して、前記第二起動信号を前記出力手段に出力することで、前記他の後処理装置を起動することを特徴とする請求項８に記載の後処理装置。
【請求項１０】
前記画像形成装置および他の後処理装置と通信する通信手段と、
前記通信手段を介して前記画像形成装置と通信できるかどうかに基づき前記画像形成装置が起動しているかどうかを判定する判定手段と、
前記画像形成装置が起動していると前記判定手段が判定すると、前記通信手段を介して前記画像形成装置から受信される命令を実行し、前記画像形成装置が起動していないと前記判定手段が判定すると、前記画像形成装置の代わりに前記他の後処理装置を制御するための命令を前記他の後処理装置に送信する命令手段と
をさらに有することを特徴とする請求項１ないし９のいずれか一項に記載の後処理装置。
【請求項１１】
前記判定手段は、前記画像形成装置から通信確立要求を受信したかどうかに基づき、前記画像形成装置が起動しているかどうかを判定することを特徴とする請求項１０に記載の後処理装置。
【請求項１２】
前記通信手段は、前記画像形成装置から通信確立要求を受信していないと前記判定手段が判定すると、前記他の後処理装置に通信確立要求を送信し、前記他の後処理装置から当該他の後処理装置の構成情報を受信し、当該他の後処理装置に当該構成情報に応じた命令を送信するように構成されていることを特徴とする請求項１１に記載の後処理装置。
【請求項１３】
前記画像形成装置、前記後処理装置および前記他の後処理装置はバス接続されていることを特徴とする請求項８ないし１２のいずれか一項に記載の後処理装置。
【請求項１４】
前記後処理手段により実行される後処理を設定するための設定情報を受け付ける受付手段と、
前記受付手段により受け付けられた設定情報にしたがって前記後処理手段を制御する制御手段と
をさらに有することを特徴とする請求項１ないし１３のいずれか一項に記載の後処理装置。
【請求項１５】
画像形成装置と、当該画像形成装置に接続可能な第一後処理装置とを有する画像形成システムであって、
前記画像形成装置は、
前記第一後処理装置を起動するための第一起動信号を出力する第一出力手段を有し、
前記第一後処理装置は、
前記画像形成装置から出力される第一起動信号が入力される第一入力手段と、
ユーザーにより操作されるスイッチ手段と、
前記第一後処理装置の内部に設けられ、前記スイッチ手段がオンされることで前記第一起動信号に対応する第二起動信号を生成する生成手段と、
前記第一入力手段に入力された前記第一起動信号または前記生成手段により生成された前記第二起動信号に応答して起動する第一電源手段と、
前記第一電源手段から供給される電力を用いてシートに後処理を実行する第一後処理手段と、
を有し、前記第一電源手段は、前記画像形成装置が前記第一起動信号を出力できない状態にあるとき、前記生成手段により生成された前記第二起動信号に応答して起動することを特徴とする画像形成システム。
【請求項１６】
前記画像形成システムは、さらに、前記第一後処理装置に接続された第二後処理装置を有し、
前記第一後処理装置は、
前記第二後処理装置に前記第一起動信号または前記第二起動信号を出力する第二出力手段を有し、
前記第二後処理装置は、
前記第一後処理装置から出力される前記第一起動信号または前記第二起動信号が入力される第二入力手段と、
前記第二入力手段に入力された前記第一起動信号または前記第二起動信号に応答して起動する第二電源手段と、
前記第二電源手段から供給される電力を用いてシートに後処理を実行する第二後処理手段と
を有することを特徴とする請求項１５に記載の画像形成システム。
【請求項１７】
前記画像形成装置は、
前記第一出力手段を通じて前記第一後処理装置から前記画像形成装置へ前記第二起動信号が流れ込むことを規制する整流手段をさらに有することを特徴とする請求項１５または１６に記載の画像形成システム。
【請求項１８】
前記第一後処理装置は、
前記第二出力手段を通じて前記第二後処理装置から前記第一後処理装置へ信号が流れ込むことを規制する整流手段をさらに有することを特徴とする請求項１６に記載の画像形成システム。
【手続補正２】
【補正対象書類名】明細書
【補正対象項目名】０００５
【補正方法】変更
【補正の内容】
【０００５】
本発明は、たとえば、
画像形成装置に接続可能な後処理装置であって、
前記画像形成装置から出力される第一起動信号が入力される入力手段と、
ユーザーにより操作されるスイッチ手段と、
前記後処理装置の内部に設けられ、前記スイッチ手段がオンされることで前記第一起動信号に対応する第二起動信号を生成する生成手段と、
前記入力手段に入力された前記第一起動信号または前記生成手段により生成された前記第二起動信号に応答して起動する電源手段と、
前記電源手段から供給される電力を用いてシートに後処理を実行する後処理手段と、
を有し、前記電源手段は、前記画像形成装置が前記第一起動信号を出力できない状態にあるとき、前記生成手段により生成された前記第二起動信号に応答して起動することを特徴とする後処理装置を提供する。
【手続補正３】
【補正対象書類名】明細書
【補正対象項目名】００２１
【補正方法】変更
【補正の内容】
【００２１】
●インサータ１０２のコントローラ
インサータ制御部３２０はＣＰＵ３０１ｂ、ＲＯＭ３０２ｂ、ＲＡＭ３０３ｂ、ＡＳＩＣ３０４ｂを有している。ＣＰＵ３０１ｂはＲＯＭ３０２ｂに格納された制御プログラムを実行することでインサータ１０２を制御する。ＲＯＭ３０２ｂは不揮発性のメモリである。ＲＡＭ３０３ｂは揮発性のメモリである。ＡＳＩＣ３０４ｂはＣＰＵ３０１ｂからの命令にしたがって負荷３０７ｂを制御する。負荷３０７ｂは、挿入紙を給紙する給紙部や、この挿入紙と画像形成装置１０１からのシートを搬送する搬送部などを駆動するためのモータなどである。操作部３０６ｂは入力装置と表示装置とを有している。ユーザーは入力装置を通じてＣＰＵ３０１ｂに指示を入力する。ＣＰＵ３０１ｂは指示の実行結果を表示装置に表示する。なお、メカニカルスイッチＳＷ１も操作部３０６ｂの一部であってもよい。通信ＩＦ３０５ｂは通信回路や信号入出力回路を含む。ＣＰＵ３０１ｂは通信ＩＦ３０５ｂを通じて画像形成装置１０１やフィニッシャ１０３と通信する。ＣＰＵ３０１ｂはユーザーにより指定されたジョブに従った命令を、通信ＩＦ３０５ｂを通じてフィニッシャ１０３に送信する。通信ＩＦ３０５ｂに接続された通信ケーブル１４１ａ、１４１ｂは、ハイ／ローを伝送するための信号線や、通信信号を伝送する信号線などを有する。通信ＩＦ３０５ｂの通信方式としてはシリアル通信方式やパラレル通信方式など任意の通信方式を採用可能である。通信ＩＦ３０５ｂはＲＯＭ３０２ｂに記憶されているＩＤ（識別情報）を付与してデータやコマンドを画像形成装置１０１やフィニッシャ１０３に送信する。コマンドとしてはフィニッシャ１０３を起動するための起動信号（電源オン信号）などがある。また、通信ＩＦ３０５ｃはインサータ１０２を起動するための起動信号（電源オン信号）を画像形成装置１０１から受信する。データとしてはＲＯＭ３０２ｂに記憶されているインサータ１０２の構成情報などである。構成情報とは、インサータ１０２の機能（例：インサータトレイの数）を識別するための情報である。
【手続補正４】
【補正対象書類名】明細書
【補正対象項目名】００２９
【補正方法】変更
【補正の内容】
【００２９】
ダイオードＤ３のアノードは生成回路４２１に接続されている。ダイオードＤ３のカソードは、信号入力端子４０２ｂ、信号出力端子４０１ｂ、リレーＲＬ１の制御端子およびリモート入力部４０６ｂに接続されている。とりわけ、ダイオードＤ３は、画像形成装置１０１から信号入力端子４０２ｂに印加された電源リモート信号が生成回路４２１へ流入することを規制する整流素子である。このように、生成回路４２１は、画像形成装置１０１の代わりに電源リモート信号Ｓｒ１を生成する。
【手続補正５】
【補正対象書類名】明細書
【補正対象項目名】００６３
【補正方法】変更
【補正の内容】
【００６３】
通信ＩＦ３０５ｂは、画像形成装置１０１および他の後処理装置と通信する通信手段の一例である。ＣＰＵ３０１ｂや前段判定部１００１は、通信手段を介して画像形成装置１０１と通信を試行することに基づき画像形成装置１０１が後処理装置に接続されているかどうかを判定する判定手段として機能する。上述したように、ＣＰＵ３０１ｂは、画像形成装置１０１から通信確立要求を受信したかどうかに基づき、画像形成装置１０１がインサータ１０２に接続されているかどうかを判定してもよい。画像形成装置１０１が後処理装置に接続されていると判定手段が判定すると、ＣＰＵ３０１ｂや命令実行部１００６は、通信手段を介して画像形成装置１０１から受信される命令を実行する命令手段として機能する。ＣＰＵ３０１ｂや処理命令部１００８は、画像形成装置１０１が後処理装置に接続されていないと判定手段が判定すると、画像形成装置１０１の代わりに他の後処理装置に命令を送信する命令手段として機能する。これにより、上流側の後処理装置が下流側の後処理装置を制御することが可能となる。